(57)【要約】【課題】ドアが自動的に閉鎖される際に、ドアがゆっくりと閉まるようにして閉鎖時の衝撃を低減したドアの自動閉鎖装置を提供する。【解決手段】自動閉鎖装置１は、前記支軸３Ａの近傍において開口枠部２Ａに固定された支持金具４と、前記支持金具４に対して鉛直軸回りに回動自在に設けられるとともに、部材長手方向に沿って細長い係止溝５ｂが形成されたアーム片５と、前記ドア３の上框３ａの上面に設けられるとともに、前記係止溝５ｂに係止するピン部材６と、前記支持金具４と前記アーム片５とを繋ぎ、付勢力によりドア３に閉鎖方向の力を与えるバネ部材７とを備えるとともに、前記アーム片５に固設されたピストン式ダンパ８と、前記ピン部材６によって回動自在に支持されるとともに、前記アーム片５をスライド可能に保持し、かつ前記ピストン式ダンパ８のピストン８ａが当接するピストン当接部９Ｂが形成されたダンパ受けブロック９とを備える。【選択図】図４
2020133210.tif 000002
【特許請求の範囲】
【請求項１】
開口枠部に対して、一側端部の上下部に設けられた支軸が軸受され、鉛直軸回りに開閉自在に設けられたドアを開状態から自動的に閉鎖させるドアの自動閉鎖装置であって、
前記自動閉鎖装置は、前記支軸の近傍において前記開口枠部に固定された支持金具と、前記支持金具に対して鉛直軸回りに回動自在に設けられるとともに、部材長手方向に沿って細長い係止溝が形成されたアーム片と、前記ドアの上框の上面又は下框の下面に設けられるとともに、前記係止溝に係止するピン部材と、前記支持金具と前記アーム片とを繋ぎ、付勢力によりドアに閉鎖方向の力を与えるバネ部材とを備えるとともに、
前記アーム片に固設されたピストン式ダンパと、前記ピン部材によって鉛直軸回りに回動自在に支持されるとともに、前記アーム片をスライド可能に保持し、かつ前記ピストン式ダンパのピストンが当接するピストン当接部が形成されたダンパ受けブロックとを備えたことを特徴とするドアの自動閉鎖装置。
【請求項２】
開口枠部に対して、一側端部の上下部に設けられた支軸が軸受され、鉛直軸回りに開閉自在に設けられたドアを開状態から自動的に閉鎖させるドアの自動閉鎖装置であって、
前記自動閉鎖装置は、前記支軸の近傍において前記開口枠部に固定された支持金具と、前記支持金具に対して鉛直軸回りに回動自在に設けられるとともに、回転軸側の上段水平部と、先端側の下段水平部とが鉛直壁面を介して段状に連続し、かつ前記下段水平部に部材長手方向に沿って細長い係止溝が形成されたアーム片と、前記ドアの上框の上面又は下框の下面に設けられるとともに、前記係止溝に係止するピン部材と、前記支持金具と前記アーム片とを繋ぎ、付勢力によりドアに閉鎖方向の力を与えるバネ部材とを備えるとともに、
前記ピン部材によって鉛直軸回りに回動自在に支持されるとともに、前記アーム片の下段水平部をスライド可能に支持し、かつピストン式ダンパを保持するダンパ保持ブロックを備え、前記アーム片の鉛直壁面が前記ピストン式ダンパの当接面となっていることを特徴とするドアの自動閉鎖装置。
【請求項３】
前記自動閉鎖装置は、ドアの上框と前記開口枠部の上枠との間の空間領域に配設されている請求項１、２いずれかに記載のドアの自動閉鎖装置。
【請求項４】
前記ピストン式ダンパのピストンは、ドア閉鎖状態から所定の開き角度までの区間は前記ダンパ受けブロック又は前記アーム片の鉛直壁面に当接する状態とし、それ以上の開き角度区間では前記ダンパ受けブロック又は前記アーム片の鉛直壁面から離間する状態としている請求項１〜３いずれかに記載のドアの自動閉鎖装置。
【請求項５】
前記支持金具は、ドアの支軸を支持する軸受部を備えている請求項１〜４いずれかに記載のドアの自動閉鎖装置。
【請求項６】
少なくとも前記ピストン式ダンパは任意に取り外し可能としてある請求項１〜５いずれかに記載のドアの自動閉鎖装置。
【発明の詳細な説明】
【技術分野】
【０００１】
本発明は、特にはコンビニエンスストア等において、飲料水や食料品などの冷蔵又は冷凍商品を陳列する保冷ショーケースなどのドアに好適に用いられる自動閉鎖装置に関する。
【背景技術】
【０００２】
従来より、コンビニエンスストア等では、ペットボトル飲料水や缶入り飲料水、食料品などの冷蔵又は冷凍を商品を陳列する保冷ショーケースが設置されている。この保冷ショーケースのドアは、ショーケース内の温度上昇を防ぐため及び購入者が開閉操作を容易化するために、ドアを開いて商品を取り出した後にドアを離すと自動的に閉鎖するようにした自動閉鎖装置が設けられている。また、通常は、店員などが商品を陳列棚に並べる際の便宜を図るため、ドアをほぼ９０度近く開いた場合に、ドアの開状態を保持するための開放維持機構も設けられている。
【０００３】
前記ドアの自動閉鎖装置としては、例えば下記特許文献１には、ドアをドア取付用のフレームにヒンジを介して開閉可能に枢支し、これらドアとフレームとの間にはスプリング体がフレームに設置したピンとヒンジ中心からドアの閉鎖する側に１０〜１００ｍｍ偏位して設けたドア側のピンとの間に設けてあり、これらピン間に作用するスプリング体の反発力によりドアをヒンジ中心に回動させて自動閉鎖するように構成したドアの自動閉鎖機構が開示されている。
【０００４】
また、下記特許文献２には、構造物の開口部に開閉自在に取り付けられたドアと、このドアの端部と前記開口部との隙間に設置された自動閉鎖開放維持機構とを備え、前記自動閉鎖開放維持機構は、一端が前記開口部に連結された荷重負荷手段（引張バネ等）と、この荷重負荷手段の他端が連結されかつ前記ドアの開口部に所定の軸を中心に回動自在に取り付けられかつ前記ドアの一部と連結されたプレートとを有し、前記荷重負荷手段による力によって前記プレートが前記軸周りに所定のモーメントを発生し、このモーメントが前記ドアの開き具合に応じて、前記プレートと前記ドアとが連結された部位において前記ドアを開放または閉鎖するように作用する構造が開示されている。
【先行技術文献】
【特許文献】
【０００５】
【特許文献１】特開平５−１１８１７９号公報
【特許文献２】特開２００６−１１５９２０号公報
【発明の概要】
【発明が解決しようとする課題】
【０００６】
しかしながら、前記特許文献１に係る自動閉鎖機構の場合は、スプリング体の反発力によるドア閉鎖力が常時作用している状態にある。そのため、ドアを大きく開いた状態から自動閉鎖させると、ドアの閉鎖に勢いが付き、ドアが全閉される際にドアがドア枠に衝突する衝撃が大きくなってしまうという問題があった。
【０００７】
また、前記特許文献２に係る自動閉鎖開放維持機構の場合も全く同様であり、荷重負荷手段（引張バネ等）によるドア閉鎖力が常時作用している状態にあるためドアを閉める際の衝撃が大きいという問題があった。
【０００８】
そこで本発明の主たる課題は、ドアが自動的に閉鎖される際に、ドアがゆっくりと閉まるようにして閉鎖時の衝撃を低減したドアの自動閉鎖装置を提供することにある。
【課題を解決するための手段】
【０００９】
上記課題を解決するために請求項１に係る本発明として、開口枠部に対して、一側端部の上下部に設けられた支軸が軸受され、鉛直軸回りに開閉自在に設けられたドアを開状態から自動的に閉鎖させるドアの自動閉鎖装置であって、
前記自動閉鎖装置は、前記支軸の近傍において前記開口枠部に固定された支持金具と、前記支持金具に対して鉛直軸回りに回動自在に設けられるとともに、部材長手方向に沿って細長い係止溝が形成されたアーム片と、前記ドアの上框の上面又は下框の下面に設けられるとともに、前記係止溝に係止するピン部材と、前記支持金具と前記アーム片とを繋ぎ、付勢力によりドアに閉鎖方向の力を与えるバネ部材とを備えるとともに、
前記アーム片に固設されたピストン式ダンパと、前記ピン部材によって鉛直軸回りに回動自在に支持されるとともに、前記アーム片をスライド可能に保持し、かつ前記ピストン式ダンパのピストンが当接するピストン当接部が形成されたダンパ受けブロックとを備えたことを特徴とするドアの自動閉鎖装置が提供される。
【００１０】
上記請求項１記載の発明は、自動閉鎖装置の第１形態例を示したものである。
【００１１】
自動閉鎖装置は、ドアの支軸の近傍において前記開口枠部に固定された支持金具と、前記支持金具に対して鉛直軸回りに回動自在に設けられるとともに、部材長手方向に沿って細長い係止溝が形成されたアーム片と、前記ドアの上框の上面又は下框の下面に設けられるとともに、前記係止溝に係止するピン部材と、前記支持金具と前記アーム片とを繋ぎ、付勢力によりドアに閉鎖方向の力を与えるバネ部材とを備える。このような構造の自動閉鎖装置自体は、いわゆるバネによる付勢力を利用した自動閉鎖装置であり、公知の構造である。
【００１２】
本願発明では、上記自動閉鎖装置において、更に前記アーム片に固設されたピストン式ダンパと、前記ピン部材によって回動自在に支持されるとともに、前記アーム片をスライド可能に保持し、かつ前記ピストン式ダンパのピストンが当接するピストン当接部が形成されたダンパ受けブロックとを備えるようにしてある。
【００１３】
従って、商品を取り出すためにドアを開いた状態から手を離すとバネの付勢力によりドアが自動的に閉鎖されるようになるが、前記ピストン式ダンパによってドアの閉鎖方向の力が減衰されるため、ドアがゆっくりと閉まるようになるとともに、閉鎖時の衝撃を大幅に低減することが可能となる。
【００１４】
請求項２に係る本発明として、開口枠部に対して、一側端部の上下部に設けられた支軸が軸受され、鉛直軸回りに開閉自在に設けられたドアを開状態から自動的に閉鎖させるドアの自動閉鎖装置であって、
前記自動閉鎖装置は、前記支軸の近傍において前記開口枠部に固定された支持金具と、前記支持金具に対して鉛直軸回りに回動自在に設けられるとともに、回転軸側の上段水平部と、先端側の下段水平部とが鉛直壁面を介して段状に連続し、かつ前記下段水平部に部材長手方向に沿って細長い係止溝が形成されたアーム片と、前記ドアの上框の上面又は下框の下面に設けられるとともに、前記係止溝に係止するピン部材と、前記支持金具と前記アーム片とを繋ぎ、付勢力によりドアに閉鎖方向の力を与えるバネ部材とを備えるとともに、
前記ピン部材によって鉛直軸回りに回動自在に支持されるとともに、前記アーム片の下段水平部をスライド可能に支持し、かつピストン式ダンパを保持するダンパ保持ブロックを備え、前記アーム片の鉛直壁面が前記ピストン式ダンパの当接面となっていることを特徴とするドアの自動閉鎖装置が提供される。
【００１５】
上記請求項２記載の発明は、自動閉鎖装置の第２形態例を示したものである。
【００１６】
本願発明では、所謂バネによる付勢力を利用した公知の自動閉鎖装置において、さらに前記ピン部材によって鉛直軸回りに回動自在に支持されるとともに、前記アーム片の下段水平部をスライド可能に支持し、かつピストン式ダンパを保持するダンパ保持ブロックを備え、前記アーム片の鉛直壁面が前記ピストン式ダンパの当接面となっているものである。
【００１７】
従って、商品を取り出すためにドアを開いた状態から手を離すとバネの付勢力によりドアが自動的に閉鎖されるようになるが、前記ピストン式ダンパによってドアの閉鎖方向の力が減衰されるため、ドアがゆっくりと閉まるようになるとともに、閉鎖時の衝撃を大幅に低減することが可能となる。
【００１８】
請求項３に係る本発明として、前記自動閉鎖装置は、ドアの上框と前記開口枠部の上枠との間の空間領域に配設されている請求項１、２いずれかに記載のドアの自動閉鎖装置が提供される。
【００１９】
上記請求項３記載の発明は、前記自動閉鎖装置の配設位置について規定したものである。自動閉鎖装置は、ドアの上框と前記開口枠部の上枠との空間領域又はドアの下框と前記開口枠部の下枠との空間領域に配設することが可能であるが、後者の場合は、ドアよりも外側に自動閉鎖装置の構成部材の一部が突出することになるため、前者のドアの上框と前記開口枠部の上枠との空間領域に配設することが望ましい。
【００２０】
請求項４に係る本発明として、前記ピストン式ダンパのピストンは、ドア閉鎖状態から所定の開き角度までの区間は前記ダンパ受けブロックに当接する状態とし、それ以上の開き角度区間では前記ダンパ受けブロックから離間する状態としている請求項１〜３いずれかに記載のドアの自動閉鎖装置が提供される。
【００２１】
上記請求項４記載の発明では、前記ピストン式ダンパのピストンは、ドア閉鎖状態から所定の開き角度までの区間は前記ダンパ受けブロック又は前記アーム片の鉛直壁面に当接する状態とし、それ以上の開き角度区間では前記ダンパ受けブロック又は前記アーム片の鉛直壁面から離間する状態とするものである。
【００２２】
従って、前記それ以上の開き角度区間では前記ピストン式ダンパの減衰力は作用しないため、ドアが相対的に速い速度で閉動作するようになり、前記ドア閉鎖状態から所定の開き角度までの区間、すなわち前記所定の開き角度から全閉されるまでの区間だけピストン式ダンパが効いた状態となるため、この区間だけドアがゆっくり閉動作するようになる。そのため、前記それ以上の開き角度区間ではドアが相対的に速い速度で閉動作させることができ、保冷ショーケース内の冷気が外に逃げ出して省エネルギー効率が低下するのを極力防止できるようになる一方、ドアが全閉する少し手前からダンパーの減衰力が効きはじめてドアをゆっくりと閉まるようになるとともに、閉鎖時の衝撃を大幅に低減することが可能となる。
【００２３】
請求項５に係る本発明として、前記支持金具は、ドアの支軸を支持する軸受部を備えている請求項１〜４いずれかに記載のドアの自動閉鎖装置が提供される。
【００２４】
上記請求項５記載の発明は、前記支持金具に対して、ドアの支軸を支持する軸受部を備えるようにしたものである。従って、ドアの支軸の位置とその他の部材との相対的位置関係、例えばドアの支軸の位置と前記アーム片の支持金具に対する連結位置との位置関係を精度良く位置決めすることが可能となる。
【００２５】
請求項６に係る本発明として、少なくとも前記ピストン式ダンパは任意に取り外し可能としてある請求項１〜５いずれかに記載のドアの自動閉鎖装置が提供される。
【００２６】
上記請求項６記載の発明は、少なくとも前記ピストン式は任意に取り外し可能としたものである。クライアントによっては、ドアがゆっくりと閉まる機構を望まない場合もあるため、これに対応可能としたものである。
【発明の効果】
【００２７】
以上詳説のとおり本発明によれば、ドアが自動的に閉鎖される際に、ドアがゆっくりと閉まるようにして閉鎖時の衝撃を低減したドアの自動閉鎖装置を提供することができる。
【図面の簡単な説明】
【００２８】
【図１】保冷ショーケースの正面図である。
【図２】自動閉鎖装置１を備えたドアの斜視図である。
【図３】自動閉鎖装置１を示す、(A)は正面図、(B)は平面図である。
【図４】自動閉鎖装置１の分解斜視図である。
【図５】自動閉鎖装置１の作動状態（その１）を示す平面図である。
【図６】自動閉鎖装置１の作動状態（その２）を示す平面図である。
【図７】自動閉鎖装置１の作動状態（その３）を示す平面図である。
【図８】自動閉鎖装置１の作動状態（その４）を示す平面図である。
【図９】第２形態例に係る自動閉鎖装置１Ａを備えたドアの斜視図である。
【図１０】自動閉鎖装置１Ａを示す、(A)は正面図、(B)は平面図である。
【図１１】自動閉鎖装置１Ａの分解斜視図である。
【発明を実施するための形態】
【００２９】
以下、本発明の実施の形態について図面を参照しながら詳述する。
【００３０】
〔第１形態例〕
図１はコンビニエンスストアなどに設置された保冷ショーケース２の正面図であり、保冷ショーケース正面の開口枠部に両開きで左右一対のドア３，３が設けられている。本形態例ではこの両開きのドア３，３に対して、本発明に係る自動閉鎖装置１を適用した例について述べる。
【００３１】
前記保冷ショーケース２は、ペットボトル飲料水や缶入り飲料水などが多段の陳列棚に配列されたものであり、正面の開口枠部２Ａ対して、左右それぞれの側に、一側端部の上下部に設けられた支軸３Ａ、３Ｂが軸受され、鉛直軸回りに開閉自在にドア３が設けられた構造を成しているものである。
【００３２】
そして、ドア３の上框３ａと前記開口枠部２Ａの上枠２ａとの間の空間領域に前記自動閉鎖装置１が配設されている。なお、自動閉鎖装置１はドア３の下框と前記開口枠部２ａの下枠との空間領域に配設することも可能であるが、自動閉鎖装置１の部品が外側に突出すると足を引っ掛ける可能性もあり危険であるため、自動閉鎖装置１はドア３の上框３ａと前記開口枠部２Ａの上枠２ａとの間の空間領域に配設することが望ましい。
【００３３】
前記自動閉鎖装置１は、図２〜図４に示されるように、前記支軸３Ａの近傍において前記開口枠部３Ａに固定された支持金具４と、前記支持金具４に対して鉛直軸回りに回動自在に設けられるとともに、部材長手方向に沿って細長い係止溝５ｂが形成されたアーム片５と、前記ドア３の上框３ａの上面に設けられるとともに、前記係止溝５ａに係止するピン部材６と、前記支持金具４と前記アーム片５とを繋ぎ、付勢力によりドア３に閉鎖方向の力を与えるバネ部材７とを備えるとともに、本装置では特に、前記アーム片５に固設されたピストン式ダンパ８と、前記ピン部材６によって回動自在に支持されるとともに、前記アーム片５をスライド可能に保持し、かつ前記ピストン式ダンパ８のピストン８ａが当接するピストン当接部９Ｂが形成されたダンパ受けブロック９とを備えた構造のものである。
【００３４】
以下、更に具体的に詳述する。
【００３５】
前記支持金具４は、詳細には図４に示されるように、断面Ｌ字状の軸受支持部４Ａと、これに連設されたアーム片支持部４Ｂとからなる。前記軸受支持部４Ａは起立部に４つのボルト孔４ａを有し、水平部にドア３の支軸３Ａを保持する軸受孔４ｂを有する部材である。前記ボルト孔４ａに対してボルトを螺入し開口枠部３Ａに支持金具４が固定されるようになっている。前記軸受孔４ｂにドア３の支軸３Ａが嵌合支持され、ドア３が鉛直軸回りに開閉自在に支持されるようになっている。
【００３６】
前記アーム片支持部４Ｂは、前記軸受支持部４Ａに対してドア３の戸先側寄りに隣接する位置に取り付けらた平板状の部材である。前記アーム片支持部４Ｂの室内側（ドア３の開き側）位置にアーム片５を軸支するための開孔４ｃが形成されているとともに、奥側（保冷ショーケース側）の下面にバネ部材７の一端を掛止させる支持側掛け軸１１が設けられている。前記開孔４ｃには、アーム連結ネジ１２が螺合されることにより前記アーム片５が一端で鉛直軸回りに回動自在に支持されるようになっている。なお、前記アーム連結軸１２の螺合に際して、回転を円滑にするために、前記アーム連結ネジ１２のネジ部にブッシュ１３が外嵌されるとともに、ワッシャ１４が外嵌されている。
【００３７】
前記アーム片５は、平面視で略直線状の細長い板材が用いられ、回転軸側の上段水平部５Ａと、先端側の下段水平部５Ｂとが段状に連続するように曲げ加工されている。前記上段水平部５Ａの基端には軸挿通孔５ａが設けられ、前記アーム連結ネジ１２及びブシュ１３が挿通されることによってアーム片支持部４Ｂに対して連結される。先端側に所定距離だけ離間した位置であって下面側にバネ部材７の他端を掛止させるアーム側掛け軸１５が設けられている。
【００３８】
そして、このアーム側掛け軸１５と、前記アーム片支持部４Ｂの支持側掛け軸１１との間に前記バネ部材７が掛け渡されている。図３(B)の平面図で明確に分かるように、前記バネ部材７は、前記アーム片５の中間位置とアーム連結ネジ１２よりも奥側（保冷ショーケース側）の位置との間に掛け渡されているため、このバネ部材７によってドア３を開いた際に、ドア３を閉鎖させる方向の回転モーメントを発生させるようになり、ドア３を自動的に閉鎖させる。なお、前記アーム片５を側面視で階段状に曲げ加工し、上段水平部５Ａとドア３の上框３ａ上面との間に空間を形成したのは前記バネ部材７の配設空間を確保するためである。
【００３９】
前記上段水平部５Ａには、奥側の一辺から垂直に垂下するダンパ取付け板１６が設けられている。このダンパ取付け板１６に対して前記ピストン式ダンパ８が取り付けられている。このピストン式ダンパ８は、オイルがシリンダー内に封入され、ピストンの伸縮に伴うオイルの移動抵抗によって制動力を与えるものである。前記オイルに代えてエアを封入したエア式ダンパとしてもよい。また、ピストン８ａはシリンダー内に配置されたバネによって突出方向に付勢されており、ドア３を開操作に伴って徐々にピストン８ａが突出するようになる。そして、ドア３を閉操作した際に、前記ピストン８ａが没入するに伴ってドア３に対して制動力を与えるようになっている。
【００４０】
前記ピストン式ダンパ８の取付けは、ダンパホルダ１０を介して行われている。このダンパホルダ１０は、図４に示されるように、先端側端面に開口部を有するように、ピストン式ダンパ８のシリンダ部分を嵌入保持する筒状孔１０ａを有し、側面部分に前記筒状孔１０ａに連通する窓部１０ｂを有し、そのアーム片５側の壁面にボルト通孔１０ｃを有する部材である。前記窓部１０ｂを通してネジ２０を挿入し、ボルト通孔１０ｃを通して前記ダンパ取付け板１６に固定されるようになっている。ピストン式ダンパ８は前記筒状孔１０ａにシリンダ部分８ｂを挿入することにより固定保持されるようになっている。
【００４１】
前記アーム片５の下段水平部５Ｂには、部材長手方向に沿って細長い係止溝５ｂが形成されている。この掛止溝５ｂには、前記ドア３の上框３ａの上面に設けられたピン部材６が係止するようになっている。そして、ドア３の開閉に伴って前記ピン部材６が前記係止溝５ｂに沿ってスライドするようになっており、ドア３の開閉操作をガイドするようになっている。
【００４２】
前記ピン部材６に対しては、前記ダンパ受けブロック９が鉛直軸回りに回動自在に支持されている。前記ダンパ受けブロック９は、平板状の基板部９Ａと、この基板９Ａの一部（側部）の上面から上方に突出するように、前記ピストン式ダンパ８のピストン８ａが当接するピストン当接部９Ｂが設けられている。前記基板部９Ａの上面には前記アーム片５の下段水平部５Ｂをスライド可能に保持するために凹溝状のアーム保持部９ａが設けられている。このアーム保持部９ａの底面よりもアーム片５の厚み分だけ高い位置に複数の、図示例では４つの抜止め用爪片９ｃ、９ｃ…が設けられており、前記アーム片５の下段水平部５Ｂが上方側に抜脱しないように保持するようになっている。
【００４３】
前記ダンパー受けブロック９のアーム保持部９ａの吊元寄り側の位置に前記ピン部材６が貫通するピン貫通孔９ｂが設けられており、このダンパ受けブロック９はピン部材６に支持された状態で前記アーム片５とドア上框３ａとの間に配設され、前記アーム片５をスライド可能に保持するようになっている。
【００４４】
一方、前記ダンパー受けブロック９のピストン当接部９Ｂは前記アーム保持部９ａに隣接する奥側位置に設けられており、前記ピストン当接部９Ｂの吊元側端面に隣接する位置に前記ピストン式ダンパ８が直列的に配設されており、図３(B)に示されるように、ドア３を全閉した状態ではピストン８ａがシリンダ８ｂ内に概ね没入した状態となっている。そして、ドア３を徐々に開放するように開いていくと、ドア３の回転軸（支軸３Ａ）の位置よりもアーム片５の回転軸（アーム連結ネジ１２）が戸先側に位置している位置関係によって、前記シリンダ８ｂの先端が描く軌跡Ａと、前記ピストン当接部９Ｂの当接面が描く軌跡Ｂとの間の距離Ｇがドアの開操作に伴って徐々に大きくなるようになっている。
【００４５】
〔自動閉鎖装置の作動〕
次に、ドア３の開閉操作に伴う前記自動閉鎖装置１の作動について詳述する。
【００４６】
先ず、図５はドア３が全閉された状態の平面図である。前述したように、この閉鎖状態では、ピストン８ａがシリンダ８ｂ内に概ね没入した状態となっている。また、ピン部材６の係止溝内での位置は最もドアの吊元側に位置している。
【００４７】
この状態からドア３を開操作すると、図６に示されるように、ピストン式ダンパ８のピストン８ａが最大突出量となるドアの開き角度α(度)までの区間はピストン８ａがドアの開操作に伴って徐々に突出していき、ピストン８ａの先端は前記ダンパ受けブロック９に当接した状態となっている。また、ドアの開操作に伴って、ピン部材６は徐々に戸先側に移動する。
【００４８】
前記ドア３が前記開き角度α(度)を越えてそれ以上の開き角度となった場合は、図７にも示されるように、ピストン式ダンパ８のピストン８ａはそれ以上突出することができないため前記ダンパ受けブロック９から離間するようになる。そして、バネ部材７の中心線がアーム片５の回転軸（アーム連結ネジ１２）の直上に来た状態がバネ部材７が最も伸びた状態となる。
【００４９】
ドア３は、図７に示される状態から更に僅かだけ開くことができるようになっており、図８に示されるように、バネ部材７の中心線がアーム片５の回転軸（アーム連結ネジ１２）を越えた位置になると、バネ部材７による付勢力は今までとは逆に、ドア３を開く方向に作用するようになるため、ドア３を全開状態で保持できるようになる。
【００５０】
今度は逆に、ドア３を閉める際の作動状態について説明すると、ドア３を図６に示される開き角度α（度）を越え、図７に示される開き角度状態までの区間の状態でドア３から手を離すと、バネ部材７の付勢力によってドアが自動的に閉鎖されるようになるが、ドア３が開き角度α(度)まで閉まると、ピストン式ダンパ８のピストン８ａの先端がダンパ受けブロック９に当接するようになり、ピストン式ダンパ８による制動力が効きはじめ、ドア３の閉鎖方向の力が減衰されるため、ドアがゆっくりと閉まるようになるとともに、閉鎖時の衝撃を大幅に低減することが可能となる。
【００５１】
なお、ドア３が図８に示される開放保持状態にある場合は、手動によりドア３を少しだけ閉操作し、図７に示される開き状態よりも閉じると、あとはバネ部材７による付勢力によって、前述したような作動によって、ドア３は自動的に閉鎖される。
【００５２】
〔第２形態例〕
次に、ドアの自走閉鎖装置の第２形態例について、図８〜図１０に基づいて詳述する。
【００５３】
第２形態例に係る自動閉鎖装置１Ａは、ドア３の支軸３Ａの近傍において前記開口枠部３Ａに固定された支持金具４と、前記支持金具４に対して鉛直軸回りに回動自在に設けられるとともに、部材長手方向に沿って細長い係止溝１７ｂが形成されたアーム片１７と、前記ドア３の上框３ａの上面に設けられるとともに、前記係止溝１７ａに係止するピン部材６と、前記支持金具４と前記アーム片５とを繋ぎ、付勢力によりドア３に閉鎖方向の力を与えるバネ部材７とを備える点は上記第１形態例と同様である。本装置では特に、前記ピン部材６によって鉛直軸回りに回動自在に支持されるとともに、前記アーム片１７の下段水平部１７Ｂをスライド可能に支持し、かつピストン式ダンパ８を保持するダンパ保持ブロック１８を備え、前記アーム片１７の一部が前記ピストン式ダンパ８の当接面となっている構造としたものである。これによって部材点数が削減されている。
【００５４】
以下、第１形態例と異なる点について重点的に説明を行い、同部材について同符号を付して説明を省略する。
【００５５】
先ず、第２形態例における前記アーム片１７は、平面視で略直線状の細長い板材が用いられ、回転軸側の上段水平部１７Ａと、先端側の下段水平部１７Ｂとが鉛直壁面１７Ｃを介して段状に連続した構造となっている。前記鉛直壁面１７Ｃは、後述するように、ピストン式ダンパ８の当接面を構成している。
【００５６】
前記上段水平部５Ａの基端には軸挿通孔１７ａが設けられ、前記アーム連結ネジ１２及びブシュ１３が挿通されることによってアーム片支持部４Ｂに対して連結される。先端側に所定距離だけ離間した位置であって下面側にバネ部材７の他端を掛止させるアーム側掛け軸１５が設けられ、このアーム側掛け軸１５と、前記アーム片支持部４Ｂの支持側掛け軸１１との間に前記バネ部材７が掛け渡されている。
【００５７】
一方、前記アーム片１７の下段水平部１７Ｂには、部材長手方向に沿って細長い係止溝１７ｂが形成されている。この掛止溝１７ｂには、前記ドア３の上框３ａの上面に設けられたピン部材６が係止するようになっている。そして、ドア３の開閉に伴って前記ピン部材６が前記係止溝１７ｂに沿ってスライドするようになっており、ドア３の開閉操作をガイドするようになっている。
【００５８】
前記ピン部材６に対しては、前記ダンパ保持ブロック１８が鉛直軸回りに回動自在に支持されている。前記ダンパ保持けブロック１８は、平板状の基板部１８Ａと、この基板１８Ａの一部（側部）の上面から上方に突出するように、前記ピストン式ダンパ８を嵌入保持するダンパ保持部１８Ｂが設けられている。前記基板部１８Ａの上面には前記アーム片１７の下段水平部１７Ｂをスライド可能に保持するために凹溝状のアーム保持部１８ａが設けられている。このアーム保持部１８ａの底面よりもアーム片１７の厚み分だけ高い位置に複数の、図示例では４つの抜止め用爪片１８ｃ、１８ｃ…が設けられており、前記アーム片１７の下段水平部１８Ｂが上方側に抜脱しないように保持するようになっている。
【００５９】
前記ダンパー保持ブロック１８のアーム保持部１８ａの吊元寄り側の位置に前記ピン部材６が貫通するピン貫通孔１８ｂが設けられており、このダンパ保持ブロック１８はピン部材６に支持された状態で前記アーム片５とドア上框３ａとの間に配設され、前記アーム片１７をスライド可能に保持するようになっている。
【００６０】
一方、前記ダンパー保持ブロック１８のダンパ保持部１８Ｂには、ピストン８ａの先端を前記アーム片１７の鉛直壁面１７Ｃに向けた状態でピストン式ダンパが嵌入保持されるようになっている。図１０(B)に示されるように、ドア３を全閉した状態ではピストン８ａがシリンダ８ｂ内に概ね没入した状態となっている。そして、ドア３を徐々に開放するように開いていくと、ドア３の回転軸（支軸３Ａ）の位置よりもアーム片１７の回転軸（アーム連結ネジ１２）が戸先側に位置している位置関係によって、前記シリンダ８ｂの先端が描く軌跡Ａと、前記ピストン８ａの当接面（鉛直壁面１７Ｃ）が描く軌跡Ｂとの間の距離Ｇがドアの開操作に伴って徐々に大きくなるようになっている。
【００６１】
本第２形態例におけるピストン式ダンパ８と、このピストン式ダンパ８のピストン８ａが当接する鉛直壁面１７Ｃとの相対的な位置関係（離隔距離）は、第１形態例におけるピストン式ダンパ８と、このピストン式ダンパのピストン８ａが当接するピストン当接部９Ｂとの相対的な位置関係（離隔距離）とピストン式ダンパ８の向きが正反逆の関係にあっても基本的に同じであるため、ドア３の開閉に伴う自動閉鎖装置１Ａの作動状況は第１形態例の場合と全く同様となる。
【００６２】
〔他の形態例〕
(1)上記形態例では、開口枠部に左右一対のドア３，３が設けられた両開きのドア３の例について詳述したが、ドア３は片開きであっても全く同様に適用が可能である。
【００６３】
(2)上記形態例では、コンビニエンスストアなどに設置された保冷ショーケース２のドアの例について詳述したが、本発明は通常のドア一般に適用が可能である。
【００６４】
(3)上記形態例において、前記ピストン式ダンパ８はいずれの形態例でも取り外し可能となっている。クライアント側の要望によっては、ドアがゆっくりと閉まる機構を望まない場合もあるため、前記ピストン式ダンパ８は容易に取り外し可能としてある。
【符号の説明】
【００６５】
１…自動閉鎖装置、２…開口枠部、３…ドア、３ａ…上框、３Ａ…支軸、４…支持金具、４Ａ…軸受支持部、５…アーム片、５ｂ…係止溝、６…ピン部材、７…バネ部材、８…ピストン式ダンパ、８ａ…ピストン、８ｂ…シリンダ、９…ダンパ受けブロック、９Ａ…基板部、９Ｂ…ピストン当接部、１０…ダンパホルダ、１１…支持側掛け軸、１２…アーム連結ネジ、１３…ブシュ、１４…ワッシャ、１５…アーム側掛け軸、１６…ダンパ取付け板、１７…アーム片、１８…ダンパ保持ブロック
【図１】
2020133210.tif 000003
【図２】
2020133210.tif 000004
【図３】
2020133210.tif 000005
【図４】
2020133210.tif 000006
【図５】
2020133210.tif 000007
【図６】
2020133210.tif 000008
【図７】
2020133210.tif 000009
【図８】
2020133210.tif 000010
【図９】
2020133210.tif 000011
【図１０】
2020133210.tif 000012
【図１１】
2020133210.tif 000013